(57)【要約】      （修正有）【課題】種々の異なる方向に力を受けても、前掛け眼鏡の眼鏡に対するズレや外れを極力防止できる。【解決手段】磁気力により眼鏡のフロント側に着脱自在に前掛け眼鏡が取り付けられるダブルフレーム眼鏡であって、前掛け眼鏡のブリッジ部には、眼鏡のブリッジＢ１，Ｂ２を挟み込んで保持するための突出リブが設けられている。突出リブは、ブリッジの上端側と下端とに設けられた上側突出リブＧａと下側突出リブ側Ｇｂとにより形成されている。【選択図】図４
0003104932.tif 000002
【実用新案登録請求の範囲】
【請求項１】
磁気力により眼鏡のフロント側に着脱自在に前掛け眼鏡が取り付けられるダブルフレーム眼鏡であって、
前掛け眼鏡のブリッジには、眼鏡のブリッジを挟み込むんで保持するための突出リブが設けられていることを特徴とするダブルフレーム眼鏡。
【請求項２】
前記一対の突出リブは、ブリッジの上端側と下端側とに設けられた上側突出リブと下側突出リブとにより形成されていることを特徴とする請求項１に記載のダブルフレーム眼鏡。
【請求項３】
該上側突出リブ及び下側突出リブの長手方向は、眼鏡の左右方向に沿って配置されることを特徴とする請求項２に記載のダブルフレーム眼鏡。
【請求項４】
前記上側突出リブは下方に向けて上側引掛け部を有しており、前記眼鏡のブリッジの後面側には該上側引掛け部が係止する切欠き部が形成されていることを特徴とする請求項３に記載のダブルフレーム眼鏡。
【請求項５】
前記上側突出リブは下方に向けて上側引掛け部を有しており、前記眼鏡のブリッジの後面側には該上側引掛け部が係止する切欠き部が形成されており、上側引掛け部と眼鏡のブリッジとは斜面で接していることを特徴とする請求項３に記載のダブルフレーム眼鏡。
【請求項６】
前記前記上側突出リブは下方に向けて上側引掛け部を有しており、前記眼鏡のブリッジの上面側には該上側引掛け部が係止する切欠き部が形成されていることを特徴とする請求項３に記載のダブルフレーム眼鏡。
【請求項７】
前記上側突出リブは下方に向けて上側引掛け部を、且つ下側突出リブは上方に向けて下側引掛け部を有しており、前記眼鏡のブリッジには該上側引掛け部と該下側引掛け部とが係止する切欠き部が該ブリッジの後面側に形成されていることを特徴とする請求項３に記載のダブルフレーム眼鏡。
【請求項８】
前記上側引掛け部及び下側引掛け部と眼鏡のブリッジとは、それぞれ切欠き部の底面と斜面で接していることを特徴とする請求項７に記載のダブルフレーム眼鏡。
【請求項９】
前記前記上側突出リブは下方に向けて上側引掛け部を有しており、前記眼鏡のブリッジの上面側には該上側引掛け部が係止する切欠き部が形成されており、上側引掛け部は間隔を開けた複数の突起よりなり、該切欠き部は、該突起が係止される複数の穴よりなることを特徴とする請求項３に記載のダブルフレーム眼鏡。
【請求項１０】
前記前掛け眼鏡のブリッジに磁石が配設されていることを特徴とする請求項３〜７の何れか１項記載のダブルフレーム眼鏡。
【請求項１１】
前記前掛け眼鏡のブリッジの上側突出リブに磁石が配設されていることを特徴とする請求項４又は８記載のダブルフレーム眼鏡。
【考案の詳細な説明】
【技術分野】
【０００１】
本考案は、前掛け眼鏡を眼鏡に安定して取り付けることができるダブルフレーム眼鏡に関する。  特に、磁気力を作用させて前掛け眼鏡と眼鏡とをブリッジを介して連結するダブルフレーム眼鏡に関する。
【背景技術】
【０００２】
従来、ダブルフレーム眼鏡として、眼鏡のブリッジに遮光機能や偏光機能等を有する前掛け眼鏡が着脱自在に取り付けられた構造のものが知られている（例えば、実用新案文献１）。
【０００３】
実用新案文献１に記載の眼鏡と前掛け眼鏡との連結構造は、眼鏡のブリッジと前掛け眼鏡のブリッジとにそれぞれ磁石を配設し、両磁石間に働く磁気力により両磁石同士が接合されてなるものである。
【０００４】
そして、磁気力のみでは使用時の振動により前掛け眼鏡が眼鏡に対してずれてしまうことがあるため、それを抑えるために、該文献には図１４に示すようなＬ字状のガイド部Ｇを設けたものが開示されている。
このようにガイド部Ｇを設けると、前掛け眼鏡Ａ１の眼鏡Ａ２からの下方への脱落を防止することが可能となり、より安定的に前掛け眼鏡Ａ１を眼鏡Ａ２に固定させるものである。
前掛け眼鏡Ａ１のブリッジＢ１と眼鏡Ａ２のブリッジＢ２とを磁気力により連結するため、ブリッジＢ１の磁石ＭＧ１とブリッジＢ２の異極の磁石ＭＧ２とで相互に引き合わせている。
【０００５】
同様に、図１５に示すような前掛け眼鏡Ａ１の眼鏡Ａ２への取り付方法も開示されている。
この眼鏡Ａ２では、ブリッジＢ２の後面に前掛け眼鏡Ａ１のＬ字形のガイド部Ｇの先端内面を重ねるようにして、ブリッジＢ２の後面部の一対の磁石ＭＧ２とＬ字形のガイド部Ｇの先端内面部の一対の磁石ＭＧ１とを磁気力により接合すれば、簡単に眼鏡Ａ２のフロント側に前掛け眼鏡Ａ１を取り付けることができる。
【０００６】
このような眼鏡Ａ２にあっては、ブリッジＢ２の後面に磁石ＭＧ２が配設されているので、磁石ＭＧ２が目立って外観を悪くしてしまうこともない。
また、Ｌ字形のガイド部Ｇの先端内面がブリッジＢ２の後面に当接するので、例えば、眼鏡Ａ２を掛外する際に耳掛けテンプルＴが広がって眼鏡Ａ２のフロント部が水平面上で撓んだとしても、前掛け眼鏡Ａ１が簡単に脱落するようなこともない。
【特許文献１】実用新案登録第３０５９９８８号公報
【考案の開示】
【考案が解決しようとする課題】
【０００７】
しかしながら、図１４に示したようなダブルフレーム眼鏡では、眼鏡着用者から見て前後方向と下方向への前掛け眼鏡Ａ１の移動が拘束されるのみであり、また図１５に示したようなダブルフレーム眼鏡では、前後方向と上方向への前掛け眼鏡Ａ１の移動が拘束されるのみであった。
このように必ずしも拘束が完全でないため、例えば、激しい運動により種々の方向に力を受けるような場合、その前掛け眼鏡Ａ１が眼鏡Ａ２からズレたり又は外れたりし易い。
【０００８】
本考案は、かかる背景技術をもとになされたもので、上記の背景技術の問題点を克服するためになされたものである。
すなわち、本考案は、種々の異なる方向に力を受けても、前掛け眼鏡の眼鏡に対するズレや外れを極力防止できるダブルフレーム眼鏡を提供することを目的とする。
【課題を解決するための手段】
【０００９】
かくして、本考案者は、このような課題背景に対して鋭意研究を重ねた結果、前掛け眼鏡のブリッジの上下２箇所に保持用の突出リブを設け、この２つの突出リブにより眼鏡のブリッジを挟み込むようにすることで、上記の問題点を解決することができることを見出し、この知見に基づいて本考案を完成させたものである。
【００１０】
すなわち、本考案は、（１）、磁気力により眼鏡のフロント側に着脱自在に前掛け眼鏡が取り付けられるダブルフレーム眼鏡であって、前掛け眼鏡のブリッジには、眼鏡のブリッジを挟み込むんで保持するための突出リブが設けられているダブルフレーム眼鏡に存する。
【００１１】
また、本考案は、（２）、対の突出リブは、ブリッジの上端側と下端側とに設けられた上側突  出リブと下側突出リブとにより形成されている上記（１）に記載のダブルフレーム眼鏡に存する。
【００１２】
また  、本考案は、（３）、該上側突出リブ及び下側突出リブの長手方向は、眼鏡の左右方向に沿って配置される上記（２）に記載のダブルフレーム鏡眼に存する。
【００１３】
また、本考案は、（４）、前記上側突出リブは下方に向けて上側引掛け部を有しており、前記眼鏡のブリッジの後面側には該上側引掛け部が係止する切欠き部が形成されている上記（３）に記載のダブルフレーム眼鏡に存する。
【００１４】
また、本考案は、（５）、前記上側突出リブは下方に向けて上側引掛け部を有しており、前記眼鏡のブリッジの後面側には該上側引掛け部が係止する切欠き部が形成されており、上側引掛け部と眼鏡のブリッジとは斜面で接している上記（３）に記載のダブルフレーム眼に存する。
【００１５】
また、本考案は、（６）、前記前記上側突出リブは下方に向けて上側引掛け部を有しており、前記眼鏡のブリッジの上面側には該上側引掛け部が係止する切欠き部が形成されている上記（３）に記載のダブルフレーム眼鏡に存する。
【００１６】
また、本考案は、（７）、前記上側突出リブは下方に向けて上側引掛け部を、且つ下側突出リブは上方に向けて下側引掛け部を有しており、前記眼鏡のブリッジには該上側引掛け部と該下側引掛け部とが係止する切欠き部が該ブリッジの後面側に形成されている上記（３）に記載のダブルフレーム眼鏡に存する。
【００１７】
また、本考案は、（８）、前記上側引掛け部及び下側引掛け部と眼鏡のブリッジとは、それぞれ切欠き部の底面と斜面で接している上記（７）に記載のダブルフレーム眼鏡に存する。
【００１８】
また、本考案は、（９）、前記前記上側突出リブは下方に向けて上側引掛け部を有しており、前記眼鏡のブリッジの上面側には該上側引掛け部が係止する切欠き部が形成されており、上側引掛け部は間隔を開けた複数の突起よりなり、該切欠き部は、該突起が係止される複数の穴よりなる上記（３）に記載のダブルフレーム眼鏡に存する。
【００１９】
また、本考案は、（１０）、前記前掛け眼鏡のブリッジに磁石が配設されている上記（３）〜（７）の何れか１項記載のダブルフレーム眼鏡に存する。
【００２０】
また、本考案は、（１１）、前記前掛け眼鏡のブリッジの上側突出リブに磁石が配設されている上記（４）又は（８）記載のダブルフレーム眼鏡に存する。
【００２１】
なお、本考案の目的に添ったものであれば、上記（１）〜（１１）を適宜組み合わせた構成も採用可能である。
【考案の効果】
【００２２】
本考案によれば、前掛け眼鏡のブリッジ部には、眼鏡のブリッジを挟み込んで保持するための突出リブが設けられており、そのうち上側突出リブの上側引掛け部が眼鏡のブリッジの切欠き部に係合することで、上下方向の移動であるヒービング、前後方向への移動であるサージング、左右方向への移動であるスウェイング、垂直平面上における左右方向の揺動であるローリング、垂直平面上における前後方向の揺動であるピッチング、また水平面上における前後方向の揺動であるヨーイング等の種々の方向へのズレや外れを防止される。
その上、磁気力による前掛け眼鏡と眼鏡との結合が加わって、より結合力が確実なものとなる。
【考案を実施するための最良の形態】
【００２３】
以下、本考案を実施するための最良の形態を図面に基づいて説明する。
（第１実施形態）
図１は、本考案のダブルフレーム眼鏡の第１実施形態を示している。
この第１実施形態のダブルフレーム眼鏡は、磁気力により眼鏡のフロント側に着脱自在に前掛け眼鏡が取り付けられる構造をしている。
図１（Ａ）は眼鏡の正面図であり、図１（Ｂ）は前掛け眼鏡の正面図である。
また図２（Ａ）は眼鏡の上面図であり、図２（Ｂ）は前掛け眼鏡の上面図である。
【００２４】
図１（Ａ）及び図２（Ａ）に示す眼鏡Ａ２は、左右に一枚ずつ視力矯正用のレンズＬ２が配設され、このレンズＬ２はブリッジＢ２を有するリムＲ２により保持されている。
眼鏡Ａ２のブリッジＢ２の材料には、前掛け眼鏡Ａ１の磁石と的確に磁着するように強磁性体であるＦｅ，Ｃｏ，Ｎｉ等又はこれらの合金が用いられる。
【００２５】
前掛け眼鏡Ａ１は、レンズＬ１がリムにより固定されておらず、いわゆるリムレスタイプの眼鏡とすることが好ましい。
リムレスタイプの眼鏡の場合は、レンズＬ１とブリッジブリッジＢ１とは、螺子等を使って直接連結される。
ここで前掛け眼鏡Ａ１のレンズＬ１としては、例えばサングラスとして用いる場合には、遮光機能や偏光機能を有するレンズが多く用いられる。
【００２６】
また前掛け眼鏡Ａ１のブリッジＢ１の材料としては、比較的弾性を有する合成樹脂が好ましく用いられる。
ブリッジＢ１は裏側をガイド部Ｇとして分離し、磁石をこのガイド部Ｇで押さえ込んでブリッジＢ１に取り付けることが好ましい。
この場合、例えば接着剤等を使ってブリッジ本体に取り付けられる。
このように磁石を備えた前掛け眼鏡のブリッジＢ１は、眼鏡のブリッジＢ２に対し磁気力によって確実に連結される。
【００２７】
図３は、前掛け眼鏡Ａ１を眼鏡Ａ２に取り付けた状態を示している。
ブリッジＢ１をブリッジＢ２に係合させ前掛け眼鏡Ａ１を眼鏡Ａ２に取り付けると、レンズＬ１とレンズＬ２とは僅かな間隙を残して対向した状態となる。
【００２８】
図４（Ａ）は、ブリッジＢ１，Ｂ２を拡大して示した斜面図である（尚、図１の各ブリッジを概略的に示した）。
この図では、板状のブリッジＢ１の裏面側にはガイド部Ｇ（尚、このガイド部ＧもブリッジＢ１の一部である）が設けられている。
このガイド部Ｇには、眼鏡Ａ２のブリッジＢ２を挟み込んで保持するように一対の突出リブが形成されている。
すなわち、一対の突出リブは、ブリッジＢ１の上面側と下面側とにそれぞれ設けられた上側突出リブＧａと下側突出リブＧｂとよりなる。
この上側突出リブＧａと下側突出リブＧｂとは、眼鏡Ａ２の板状のブリッジＢ１（詳しくはガイド部Ｇ）の上に立設されており、上側突出リブＧａ及び下側突出リブＧｂの長手方向は、眼鏡Ａ２の左右方向に沿うように配置されている。
【００２９】
一方、上側突出リブＧａは下方に向けて引掛け部Ｇａ１を有している。
すなわち、上側突出リブＧａの中央部の横断面はＬ字状をしており、丁度、Ｌ字の先端が下方を向くような形である。
この上側突出リブＧａに係合させるべく、眼鏡のブリッジＢ２の後面側には、前記上側引掛け部Ｇａ１を係止するための切欠き部Ｂ２ａが形成されている。
なお、この切欠き部Ｂ２ａは直角に切り欠かれている。
【００３０】
図４（Ｂ）はブリッジＢ１とブリッジＢ２とが係合した状態の断面を示している。
前述したように、ブリッジＢ１とガイド部Ｇとの間には磁石ＭＧが埋め込まれた状態となっている。
さて、前掛け眼鏡Ａ１を眼鏡Ａ２に押し付けることで、上側突出リブＧａの上側引掛け部Ｇａ１をブリッジＢ２の後面側の切欠き部Ｂ２ａに係合させることができる。
その場合、前掛け眼鏡Ａ１を上斜め方向から眼鏡Ａ２に近づけ、上側引掛け部Ｇａ１を切欠き部Ｂ２ａの底面に引っ掛けるようにして係合することが効果的である。
その結果、ブリッジＢ１の（詳しくはガイド部Ｇの）上側突出リブＧａ、ブリッジＢ１の（詳しくはガイド部Ｇの）下側突出リブＧｂ、及びブリッジＢ１の（詳しくはガイド部Ｇの）基部Ｇｃとに囲われる空間内にブリッジＢ２が嵌め込まれることとなる。
上述したように、ガイド部Ｇの上面側と下面側とに上側突出リブＧａと下側突出リブＧｂとが形成されており、この両突出リブが眼鏡Ａ２のブリッジＢ２を接触面を大きくして挟み付けるために、前掛け眼鏡Ａ１は上下方向の移動であるヒービングと共に、ローリングやピッチングも抑止される（図５参照）。
【００３１】
更に、図４（Ｂ）に示すように、眼鏡Ａ２のブリッジＢ２の後面側には、上側突出リブＧａの上側引掛け部Ｇａ１が係止する切欠き部Ｂ２ａが形成されているので、上側引掛け部Ｇａ１を該切欠き部Ｂ２ａに係合させることで、前掛け眼鏡Ａ１は眼鏡Ａ２に対する前後方向の移動であるサージングや水平面上における前後方向の揺動であるヨーイングが確実に抑止される。
【００３２】
更に、上側引掛け部Ｇａ１が切欠き部Ｂ２ａに係合するために、前掛け眼鏡Ａ１の眼鏡Ａ２に対する左右方向の移動であるスウェイングも抑止される。
なお、図５に示すように、それぞれ、上下方向への移動をヒービング、前後方向への移動をサージング、左右方向への移動をスウェイングといい、垂直平面上における左右方向の揺動をローリング、垂直平面上における前後方向の揺動をピッチング、また水平面上における前後方向の揺動をヨーイングという。
以上のように、この第１実施形態の場合、ヒービング、ローリング、ピッチング、サージング、ヨーイング、及びスウェイングの全ての現象が防止される。
その上、磁気力により前掛け眼鏡Ａ１と眼鏡Ａ２は結合されているため、激しい運動により種々の方向に力を受けても、眼鏡Ａ２に結合された前掛け眼鏡Ａ１が容易にズレたり又は外れたりすることがない。
【００３３】
（第２実施形態）
図６は、本考案のダブルフレーム眼鏡の第２実施形態を示している。
図６（Ａ）はブリッジＢ１，Ｂ２を拡大した斜視図であり、図６（Ｂ）はブリッジＢ１とブリッジＢ２とが係合した状態の断面を示している。
なお、この第２実施形態は、突出リブＧａと切欠き部Ｂ２ａの構造のみ第１実施形態と異なっている。
すなわち、上側突出リブＧａの横断面は、Ｌ字の先端側が先細り形状になって、上側引掛け部Ｇａ１を形成しており、眼鏡Ａ２のブリッジＢ２の後面側には、この上側引掛け部Ｇａ１が係止するための切欠き部Ｂ２ａが形成されている。
ここで切欠き部Ｂ２ａは、上側引掛け部Ｇａ１と対応するように傾斜して切り欠かれているために、上側引掛け部Ｇａ１とブリッジＢ２とは係合時には斜面で接している状態となる。
ブリッジＢ１とガイド部Ｇとの間には磁石ＭＧが嵌め込まれている。
【００３４】
そして、このような構造にすることにより、第１実施形態と同様に、ヒービング、ローリング、ピッチング、サージング、ヨーイング、及びスウェイングの全ての現象が防止される。
第２実施形態では特に、上側突出リブＧａは先細り形状にされ傾斜面が形成されているため、前掛け眼鏡Ａ１を眼鏡Ａ２に取り外しする際に、下側突出リブＧｂを基点として回動することで、その操作を無理なくスムーズに行うことができる。
【００３５】
前掛け眼鏡Ａ１の取り外し操作をスムーズに行うことができるので、磨耗等が少なくなり耐久性が向上することとなる。
【００３６】
（第３実施形態）
図７は、本考案のダブルフレーム眼鏡の第３実施形態を示している。
図７（Ａ）はブリッジＢ１，Ｂ２を拡大して示す斜視図であり、図７（Ｂ）はブリッジＢ１とブリッジＢ２とが係合した状態の断面を示している。
この第３実施形態は、ブリッジＢ２の切欠き部Ｂ２ａの構造のみが第１実施形態と異なるものである。
すなわち、眼鏡Ａ２のブリッジＢ２の後面側には、上側引掛け部Ｇａ１が係止するための切欠き部Ｂ２ａが形成されているが、この切欠き部Ｂ２ａは、ブリッジＢ２をその上下方向全体に渡って切り欠かれたものである。
そのためために、ブリッジＢ２に切欠き部Ｂ２ａを形成する際、加工がし易い利点がある。
【００３７】
そして、このような構造とすることにより第１実施形態と同様の効果である、種々の方向への移動現象、すなわち、ヒービング、ローリング、ピッチング、サージング、ヨーイング、及びスウェイングの全てが防止されるのである。
それに加え第３実施形態では、ブリッジＢ２の中央付近がその幅方向全体に渡り切り欠かれているので、全体に薄肉部が存在することになり、ブリッジＢ２を変形し易くでき、レンズＬ２の対顔角度を調整することが可能である。
【００３８】
（第４実施形態）
図８は、本考案のダブルフレーム眼鏡の第４実施形態を示している。
図８（Ａ）はブリッジＢ１，Ｂ２を拡大して示した斜視図であり、図８（Ｂ）はブリッジＢ１とブリッジＢ２とが係合した状態の断面を示している。
この第４実施形態は、ブリッジＢ２の切欠き部の構造のみ第１実施形態と異なっている。
【００３９】
すなわち、上側突出リブは下方に向けて上側引掛け部Ｇａ１を有しており、眼鏡Ａ２のブリッジＢ２の上面側に該上側引掛け部Ｇａ１が係止する切欠き部Ｂ２ａが形成されている。
この場合、切欠き部Ｂ２ａがブリッジＢ２の後面側ではなく上面側の中程に形成されているために、上側突出リブＧａは第１実施形態の場合より短くなっている。
この切欠き部Ｂ２ｂは、ブリッジＢ２を上下方向に貫通した矩形の穴となっており、上側引掛け部Ｇａ１の周囲を密着した状態で受け入れる。
このように、切欠き部Ｂ２ａに上側突出リブＧａを係合させると、第１実施形態と同様に、ヒービング、ローリング、ピッチング、サージング、ヨーイング、及びスウェイングの全ての現象が防止される。
また、上側突出リブＧａを切欠き部Ｂ２ａの入り口に少し嵌め込んだ状態で、位置決めができるため、次に下側突出リブＧｂをブリッジＢ２の下面に接近させる操作が容易になる。
また、上側突出リブＧａが切欠き部Ｂ２ａに係合した（すなわち嵌入した）状態では確実に上側突出リブＧａが拘束されるため、前掛け眼鏡Ａ１と眼鏡Ａ２とが極めて安定した取り付けが可能であり、ズレや外れは全くなくなる。
【００４０】
（第５実施形態）
図９は、本考案のダブルフレーム眼鏡の第５実施形態を示している。
図９（Ａ）はブリッジＢ１，Ｂ２を拡大して示した斜視図であり、図９（Ｂ）はブリッジＢ１とブリッジＢ２とが係合した状態の断面を示している。
この第５実施形態は、下側突出リブＧｂと眼鏡のブリッジＢ２の切欠き部Ｂ２ａの構造が第２実施形態と異なっているものである。
すなわち、下側突出リブＧｂもＬ字の先端側が先細り形状になって下側引掛け部Ｇｂ１を形成しており、ブリッジＢ２の切欠き部Ｂ２の底面は屋根型になって２つの傾斜面を備えている。
従って上側突出リブＧａ及び下側突出リブＧｂはブリッジ（詳しくは、上側引掛け部Ｇａ１及び下側引掛け部Ｇｂ１は、共に切欠き部Ｂ２の底面に斜面で接する状態となる。
【００４１】
このように上側突出リブＧａの上側引掛け部Ｇａ１及び下側突出リブＧｂの下側引掛け部Ｇｂ１の両方が係止する切欠き部Ｂ２ａを形成すると、上側引掛け部Ｇａ１のみをブリッジＢ２に係合させる場合に比べて、サージング、ヨーイング、ピッチング、はより抑止される。
更に、前掛け眼鏡Ａ１をピッチング方向のどちらの方向に回転させても眼鏡Ａ２からスムーズに取り外すことができるメリットがある。
上側引掛け部ＧＡａ１と下側引掛け部Ｇｂ１とがあるために、前掛け眼鏡Ａ１を上斜め方向から眼鏡Ａ２に近づけ、上側引掛け部Ｇａ１を切欠き部Ｂ２ａの底面に引っ掛けるようにして係止することも、或いは、前掛け眼鏡Ａ１を下斜め方向から眼鏡に近づけて、同様に下側引掛け部Ｇｂ１を切欠き部Ｂ２ａの底面に引っ掛けるようにして係止することもでき、前掛け眼鏡Ａ１を眼鏡に取り付ける操作に自由度がある。
【００４２】
（第６実施形態）
図１０は、本考案のダブルフレーム眼鏡の第６実施形態を示している。
図１０（Ａ）はブリッジＢ１，Ｂ２を拡大して示した斜視図であり、図１０（Ｂ）はブリッジＢ１とブリッジＢ２とが係合した状態の断面を示している。
この第６実施形態は、第１実施形態と比べて、上側突出リブＧａの形状と磁石ＭＧの位置が異なる。
すなわち、この第６実施形態の上側突出リブＧａの上側引掛け部Ｇａ１は小さく形成されているため、この上側引掛け部Ｇａ１が係止されるブリッジ後面側の切欠き部Ｂ２ａもそれに応じて小さい。
そして磁石ＭＧはブリッジの基部ではなく上側突出リブＧａに嵌め込まれている。
上側突出リブＧａの磁石ＭＧと強磁性体であるブリッジＢ２とは磁気力により結合されると同時に、上側引掛け部Ｇａ１と切欠き部Ｂ２ａとが係合する。
この第６実施形態では、第１実施形態と同様の効果を奏する。
【００４３】
ただ、磁石ＭＧは上側突出リブＧａに嵌め込まれているため、第１の実施の形態と同じように、  ガイド部Ｇで押さえ付けるように埋め込む必要がなく、ガイド部Ｇの成形時に一緒に一体に成形（例えば射出成形）でき簡単に取り付けられる利点がある。
【００４４】
（第７実施形態）
図１１は、本考案のダブルフレーム眼鏡の第７実施形態を示している。
図１１（Ａ）はブリッジＢ１，Ｂ２を拡大して示した斜視図であり、図１１（Ｂ）はブリッジＢ１とブリッジＢ２とが係合した状態の断面を示している。
この第７実施形態は、第６実施形態と比べて、上側突出リブＧａとブリッジＢ２の切欠き部Ｂ２ａの構造が異なる。
すなわち、上側突出リブＧａに形成された上側引掛け部Ｇａ１は、間隔を開けた複数の突起（図では２個）よりなるもので、切欠き部Ｂ２ａはこの複数の突起に対応するように、複数の小穴として形成されている。
ブリッジＢ１の磁石ＭＧと強磁性体であるブリッジＢ２とは、磁気力により結合されると同時に、上側引掛け部Ｇａ１である複数の突起と切欠き部Ｂ２ａである複数の小穴が係合するが、両者は密着性がよく且つ突起が間隔を開けて形成されているため、ガタ付き等は全く生じない。
【００４５】
以上、本考案を説明してきたが、本考案は上述した実施形態にのみ限定されるものではなく、その本質を逸脱しない範囲で、他の種々の変形が可能であることはいうまでもない。
例えば、上述した実施形態では、磁石ＭＧをブリッジＢ１とガイド部Ｇとの間やガイド部Ｇの上側突出リブＧａに設けた場合を示したが、必ずしも本考案はこれに限定されない。
例えば、磁石ＭＧを眼鏡Ａ２のブリッジＢ２側に設けて、ブリッジＢ１やガイド部Ｇを強磁性体としても良い。
或いは、前掛け眼鏡Ａ１側と眼鏡Ａ２側とにそれぞれ磁石ＭＧを設け、それらの磁石ＭＧを引き合わせることで前掛け眼鏡Ａ１と眼鏡Ａ２とを結合させるようにしても良い。
上記実用新案登録請求の範囲に記載の考案においても、当然、同様なことを含むものである。
【００４６】
また、上述した実施形態では、磁石ＭＧをブリッジＢ１やガイド部Ｇに設けた例について説明したが、ブリッジＢ１は、強磁性体で形成されたブリッジＢ２と磁気力により結合させるために、磁石粉末を含有した材料を用いても良い。
一方、ブリッジＢ１は裏側をガイド部Ｇとして分離し、磁石をこのガイド部Ｇで押さえ込んでブリッジＢ１に取り付けることとしたが、ブリッジＢ１の本体とガイド部Ｇとを成形時（例えばブリッジの射出成形時）に一体化しておくことも可能である。
【図面の簡単な説明】
【００４７】
【図１】図１は、本考案のダブルフレーム眼鏡の第１実施形態を示す正面図である。（Ａ）は眼鏡を示しており、（Ｂ）は前掛け眼鏡を示している。
【図２】図２は、図１のダブルフレーム眼鏡の平面図であり、（Ａ）は眼鏡、また（Ｂ）は前掛け眼鏡を示している。
【図３】図３は、眼鏡に前掛け眼鏡を取り付けた状態を示す説明図である。
【図４】図４は、前掛け眼鏡のブリッジと眼鏡のブリッジとの結合構造を示す説明図である。（Ａ）はブリッジ及びガイド部の拡大図であり、（Ｂ）は前掛け眼鏡のブリッジと眼鏡のブリッジとが係合した状態の断面図である。
【図５】図５は、前掛け眼鏡の眼鏡に対する移動方向や揺動方向を示す説明図である。
【図６】図６は、本考案のダブルフレーム眼鏡の第２実施形態を示す説明図であり、（Ａ）はブリッジを拡大した斜視図、（Ｂ）は前掛け眼鏡のブリッジと眼鏡のブリッジとが係合した状態の断面図である。
【図７】図７は、本考案のダブルフレーム眼鏡の第３実施形態を示す説明図であり、（Ａ）はブリッジを拡大した斜視図、（Ｂ）は前掛け眼鏡のブリッジと眼鏡のブリッジとが係合した状態の断面図である。
【図８】図８は、本考案のダブルフレーム眼鏡の第４実施形態を示す説明図であり、（Ａ）はブリッジを拡大して示した斜視図、（Ｂ）は前掛け眼鏡のブリッジと眼鏡のブリッジとが係合した状態の断面図である。
【図９】図９は、本考案のダブルフレーム眼鏡の第５実施形態を示す説明図であり、（Ａ）はブリッジを拡大して示した斜視図、（Ｂ）は前掛け眼鏡のブリッジと眼鏡のブリッジとが係合した状態の断面図である。
【図１０】図１０は、本考案のダブルフレーム眼鏡の第６実施形態を示す説明図であり、（Ａ）はブリッジを拡大して示した斜視図、（Ｂ）は前掛け眼鏡のブリッジと眼鏡のブリッジとが係合した状態の断面図である。
【図１１】図１１は、本考案のダブルフレーム眼鏡の第７実施形態を示す説明図であり、（Ａ）はブリッジを拡大して示した斜視図、（Ｂ）は前掛け眼鏡のブリッジと眼鏡のブリッジとが係合した状態の断面図である。
【図１２】図１２、従来のダブルフレーム眼鏡の一例を示す説明図である。
【図１３】図１３、従来のダブルフレーム眼鏡の一例を示す説明図である。
【符号の説明】
【００４８】
Ａ１  前掛け眼鏡
Ａ２  眼鏡
Ｂ１，Ｂ２  ブリッジ
Ｂ２ｂ  切欠き部
Ｆ１，Ｆ２  フレーム
Ｇ  ガイド部
Ｇａ  上側突出リブ
Ｇａ１  上側引掛け部
Ｇｂ  下側突出リブ
Ｇｂ１  上側引掛け部
Ｇｃ  基部
Ｌ１，Ｌ２  レンズ
ＭＧ，ＭＧ１，ＭＧ２  磁石
Ｒ  リム
Ｔ  テンプル
【図１】
0003104932.tif 000003
【図２】
0003104932.tif 000004
【図３】
0003104932.tif 000005
【図４】
0003104932.tif 000006
【図５】
0003104932.tif 000007
【図６】
0003104932.tif 000008
【図７】
0003104932.tif 000009
【図８】
0003104932.tif 000010
【図９】
0003104932.tif 000011
【図１０】
0003104932.tif 000012
【図１１】
0003104932.tif 000013
【図１２】
0003104932.tif 000014
【図１３】
0003104932.tif 000015